(57)【要約】    【課題】大当たり遊技中の遊技者の遊技技量によって、大当たり遊技後に展開される遊技形態を遊技者にとって有利に変化させることのできる遊技機を提供する。    【解決手段】特定入賞領域への遊技球の入球数をカウントするカウント手段と、所定の条件が成立すると前記特定入賞領域を開状態に変化し、前記カウント手段が予め定められた上限数の入球数をカウントするか若しくは所定時間が経過すると閉状態に変化する可変入賞手段と、この可変入賞手段の開閉動作が所定回数繰り返し行われる大当たり遊技を実行する大当たり実行手段とを備えた遊技機であって、前記カウント手段が予め定められた上限数を超えた余剰入賞数を所定数カウントしたことを条件として、前記大当たり遊技後に遊技者にとって有利な特別遊技状態へ移行させる特別遊技状態移行手段を備えることにした。【選択図】      図９
2005177308.tif 000002
【特許請求の範囲】
【請求項１】
特定入賞領域への遊技球の入球数をカウントするカウント手段と、
所定の条件が成立すると前記特定入賞領域を開状態に変化し、前記カウント手段が予め定められた上限数の入球数をカウントするか若しくは所定時間が経過すると閉状態に変化する可変入賞手段と、
この可変入賞手段の開閉動作が所定回数繰り返し行われる大当たり遊技を実行する大当たり実行手段とを備えた遊技機であって、
前記カウント手段が予め定められた上限数を超えた余剰入賞数を所定数カウントしたことを条件として、前記大当たり遊技後に遊技者にとって有利な特別遊技状態へ移行させる特別遊技状態移行手段を備えたことを特徴とする遊技機。
【請求項２】
前記カウント手段が前記余剰入賞数を所定数カウントしたことを受けて、余剰入賞の発生を遊技者に報知する余剰入賞報知手段を備えることを特徴とする請求項１に記載の遊技機。
【請求項３】
前記特別遊技状態は、複数の特別遊技状態のうちからいずれか１つを遊技者が選択した特別遊技状態であることを特徴とする請求項１又は請求項２に記載の遊技機。
【発明の詳細な説明】
【技術分野】
【０００１】
この発明は遊技機に関し、特に所謂パチンコ遊技機などの弾球遊技機に関するものである。
【背景技術】
【０００２】
従来、遊技機の一種として弾球遊技機があり、その最もポピュラーなものとしてパチンコ遊技機が知られている。
【０００３】
パチンコ遊技機では、遊技盤上に発射された遊技球が所定の入賞口に入球すると、所定数の入賞球が遊技者に払い出されるが、前記入賞口の中には、「電動チューリップ」と呼ばれる開閉動作する一対の可動片を備えた特別入賞口が設定される場合がある。前記可動片は、例えば入賞口に前記「電動チューリップ」が閉状態のときに入賞するなどの所定の条件が成立したことを契機として開状態となり、遊技球が入賞しやすくなるようにガイド可能となる。そして、予め定められた上限数（「電動チューリップ」の場合は通常１個）の遊技球が入賞するまで若しくは所定時間だけ開状態を維持し、前記上限数の入賞を検知するか若しくは所定時間経過すると閉状態に変化する。
【０００４】
一方、近年のパチンコ遊技機では、これも遊技機の１つであるスロットマシンのように図柄からなる識別情報を組み合わせる所謂「可変表示ゲーム」を実行する遊技形態を採用したものが一般的になっている。
【０００５】
前記「可変表示ゲーム」は、発射した遊技球が入賞口の一つである始動口へ入賞するとその入賞に基づき当選かハズレかを抽選し、抽選結果に応じて表示手段である液晶表示部上で図柄からなる前記識別情報を変動表示及び停止表示させる。そして、抽選結果が当選となって識別情報が予め定められた特定組合せで停止表示された場合には、入賞口の一種である大入賞口の開閉動作を所定回数（例えば１５回であり、大入賞口の開状態から閉状態に至るまでの一回の遊技を「１ラウンド」とも呼ぶ。）繰り返して、遊技者に有利な状態である所謂「特別遊技状態」を発生させるようにしている。
【０００６】
この大入賞口は一旦開状態になると、前記「電動チューリップ」の可動片同様、予め定められた上限数の遊技球が入賞するまで（例えば１０個）若しくは所定時間（例えば２９秒）だけ開状態を維持し、前記上限数の入賞をセンサで検知するか若しくは所定時間経過すると閉状態に変化する。また、この大入賞口内は特定領域と一般領域とに区画されており、特定領域内に入賞すると、大入賞口が閉鎖された後再度開放することが約束される。
【０００７】
このような大入賞口や、前記可動片を備えた特別入賞口などのような可動入賞手段を備えているパチンコ遊技機では、前記所定時間内において、前記上限数の入賞を超えて入賞する場合がある（この上限数を超えて遊技球が入賞することを余剰入賞と呼ぶ）。特に前記大入賞口は遊技盤の最下方位置に設けられることが多く、また、上限数が多い上に所定の開放時間が長いために、遊技球の集まりが良い遊技機であればセンサが上限数を検知するまでの間に一挙に余剰入賞することがある。
【０００８】
当然ながら余剰入賞１個あたりに所定の入賞球を獲得できることから、遊技者にとってはかかる余剰入賞の発生は好ましいものであり、遊技者によっては余剰入賞を狙って上限数に達する直前に大入賞口へ遊技球を集めるように努めている。
【０００９】
しかし、余剰入賞数については表示されることがない上に、かかる余剰入賞に対する賞
球の払い出しは、上限数までの入賞に対する払い出しに連続して行われるために、余剰入賞が発生したことを目視で確認してもそれが正確かどうかを判断できず、発生した余剰入賞に対してなされた賞球の払い出しを実感することも困難であった。
【００１０】
そこで、余剰入賞を実感させるために、余剰入賞に応じて遊技者に対して利益を享受させるものが提案されている。これは、前記可動入賞手段への入賞を入賞検出手段によりカウントした結果が４０を超えると、前記「特別遊技状態」のラウンド数を追加するものである（例えば特開２００１−１３７４５５号公報を参照。）。
【特許文献１】特開２００１−１３７４５５号公報
【発明の開示】
【発明が解決しようとする課題】
【００１１】
ところが、従来の遊技機では、未だ下記の課題が残されていた。
【００１２】
すなわち、上記特許文献１の遊技機では、上述したように余剰入賞が発生した場合には、余剰入賞に対して賞球の払い出しを行うとともに、ラウンド数を追加する等大当たり遊技状態の遊技形態を変化させることで、遊技者に対して利益を享受させていたが、この余剰入賞に対する利益は大当たり遊技中においてしか享受されず、大当たり遊技終了後は通常の遊技状態へと移行しており、大当たり遊技後の遊技形態を変化させることはできなかった。そのため、余剰入賞に対する利益は一時的なものであり、その利益を大当たり遊技終了後にも引き続き享受させることができなかった。
【００１３】
本発明は、上記課題を解決することのできる遊技機を提供することを目的としている。
【課題を解決するための手段】
【００１４】
請求項１記載の本発明では、特定入賞領域への遊技球の入球数をカウントするカウント手段と、所定の条件が成立すると前記特定入賞領域を開状態に変化し、前記カウント手段が予め定められた上限数の入球数をカウントするか若しくは所定時間が経過すると閉状態に変化する可変入賞手段と、この可変入賞手段の開閉動作が所定回数繰り返し行われる大当たり遊技を実行する大当たり実行手段とを備えた遊技機であって、前記カウント手段が予め定められた上限数を超えた余剰入賞数を所定数カウントしたことを条件として、前記大当たり遊技後に遊技者にとって有利な特別遊技状態へ移行させる特別遊技状態移行手段を備えることとした。
【００１５】
請求項２記載の本発明では、前記カウント手段が前記余剰入賞数を所定数カウントしたことを受けて、余剰入賞の発生を遊技者に報知する余剰入賞報知手段を備えることとした。
【００１６】
請求項３記載の本発明では、前記特別遊技状態は、複数の特別遊技状態のうちからいずれか１つを遊技者が選択した特別遊技状態であることとした。
【発明の効果】
【００１７】
本発明によれば、例えば、大当たり遊技中に開放と閉鎖とを繰り返す大入賞口などの可変入賞手段に対して、予め定められた上限数を超えて入賞する余剰入賞が所定回数発生した場合には、大当たり遊技後に遊技者にとって有利な特別遊技状態へ移行させることができる。
【００１８】
そのため、遊技者は大当たり遊技中に余剰入賞に対する利益を享受することができるだけではなく、大当たり遊技後にも余剰入賞に対する利益を引き続き享受することができる
ため、余剰入賞に対する十分な利益還元に満足することができる。
【発明を実施するための最良の形態】
【００１９】
本発明は、特にパチンコ遊技機として好適に実施することができ、本実施の形態では、特定入賞領域への遊技球の入球数をカウントするカウント手段と、所定の条件が成立すると前記特定入賞領域を開状態に変化し、前記カウント手段が予め定められた上限数の入球数をカウントするか若しくは所定時間が経過すると閉状態に変化する可変入賞手段と、  この可変入賞手段の開閉動作が所定回数繰り返し行われる大当たり遊技を実行する大当たり実行手段とを備えた遊技機であって、前記カウント手段が予め定められた上限数を超えた余剰入賞数を所定数カウントしたことを条件として、前記大当たり遊技後に遊技者にとって有利な特別遊技状態へ移行させる特別遊技状態移行手段を備えることにしたものである。
【００２０】
すなわち、特定の入賞口に入賞したことを受けて行われる内部抽選に当選したことを受けて開状態に変化し、予め定められた上限数の入球数がカウントされるまで、若しくは所定時間が経過するまで開状態を維持し、予め定められた上限数の入球数がカウントされるか、若しくは所定時間が経過すると閉状態に変化する特定入賞領域を備え、この特定入賞領域の開閉動作を所定回数繰り返し行う大当たり遊技を行う遊技機において、前記特定入賞領域に対して前記上限数以上の入球数を所定数カウントした場合には、前記大当たり遊技後に遊技者にとって有利な特別遊技状態へ移行させるのである。
【００２１】
このように、本実施の形態の遊技機は、前記特定入賞領域の開閉動作を所定回数繰り返し行う大当たり遊技において、開状態中の特定入賞領域に入賞した遊技球をカウントし、このカウント数が特定入賞領域を閉状態とする契機となる上限数を所定数超えた場合には、すなわち、所謂余剰入賞が所定回数発生した場合には、余剰入賞数に応じた賞球の払い出しを行うことによって余剰入賞に対する利益を大当たり遊技中に享受させるだけではなく、大当たり遊技終了後も遊技者にとって有利な特別遊技状態へ移行することによって引き続き余剰入賞に対する利益を享受させることができる。その結果、遊技者は、余剰入賞に対する十分な利益の享受に満足することができる。
【００２２】
このような本実施の形態に係るパチンコ遊技機は、特に、背景技術の欄で説明したような「可変表示ゲーム」、すなわち、数字や記号等の図柄からなる複数の識別情報を組み合わせる遊技を実行するパチンコ遊技機として好適に実施することができる。
【００２３】
したがって、前記特定入賞領域としては、例えば、背景技術の欄で説明したような「電動チューリップ」であってもよいが、前記「可変表示ゲーム」における「大当たり遊技」を実行する遊技形態に用いられる大入賞口とすることが好ましい。
【００２４】
すなわち、複数の識別情報を可変表示可能な表示手段と、この表示手段に表示される前記複数の識別情報の表示態様が特定の表示態様となった場合に、前記可変入賞手段を実行させる大当たり実行手段とを備える構成とするものである。
【００２５】
そして、遊技球が始動口と呼ばれる特定の入賞口へ入賞したことを契機として、複数の識別情報を前記表示手段（表示装置）上に可変表示する可変表示ゲームを実行し、さらに、この表示手段に表示される前記複数の識別情報の表示態様が特定の表示態様となった場合には、前記大当たり実行手段により前記可変入賞手段を作動させる大当たり遊技を実行する。
【００２６】
そして、この大当たり遊技中に、遊技者が余剰入賞を所定回数発生させることができたならば、大当たり遊技後に遊技者にとって有利な特別遊技状態へと移行するのである。
【００２７】
ここで、特別遊技状態とは、一般のパチンコ遊技機において大当たり遊技状態終了後から再び大当たり遊技状態に移行するまでに実行される通常の遊技状態に、遊技者にとって有利な条件が付加されて特別化した遊技状態を指す。
【００２８】
例えば、可変表示ゲーム実行中に、識別情報を変動表示させる時間を短縮させる、所謂時短処理という条件を付加する時短遊技状態が考えられる。
【００２９】
前記識別情報には普通図柄と特別図柄とがあり、時短処理は普通図柄の変動表示にも特別図柄の変動表示にも適用できる。
【００３０】
ここで、普通図柄とは、例えば背景技術の欄で説明したような「電動チューリップ」などの可動片を開放するか否かの抽選を行う際に、抽選結果を含む抽選状態を遊技者に示すために７セグメント表示器等の表示手段に変動・停止表示される識別情報からなる図柄である。
【００３１】
また、特別図柄とは、大当たり遊技に移行するか否かを抽選する際に、液晶表示装置等の表示手段に変動・停止表示される複数の識別情報からなる図柄であり、抽選結果が当選の場合は所定の組合せで停止表示される。
【００３２】
特別図柄の変動表示に時短処理を適用した時短遊技状態では、特別図柄の変動表示時間が短縮されるので遊技の展開が早く、遊技者を退屈させる虞がないとともに、遊技盤上に発射された遊技球が所定の入賞口に入賞したことを受けて行われる内部抽選の回転率を上げて、前記所定の入賞口に入賞した遊技球の有効率を上げることができる。
【００３３】
すなわち、可変表示ゲーム実行中に前記特定の入賞口に遊技球が入賞した場合には、その遊技球に対応する可変表示ゲームを行うことができず、その処理は保留されて保留球として記憶されるが、保留できる保留球数には上限があり、この上限数を超えて保留球が発生した場合には無効とされる。そのため、内部抽選の回転率を上げることは、保留球の蓄積を抑えて保留球が無効とされることを防止し、前記入賞口に入賞した遊技球のより多くを内部抽選へと繋いで、前記入賞口に入賞した遊技球に対する有効率を上げることができるのである。
【００３４】
また、他の有利な条件が付加された遊技状態としては、可変表示ゲームにおける当選確率を通常よりも高く設定するという条件を付加する確変遊技状態が考えられる。
【００３５】
抽選には、前記「電動チューリップ」の可動片を開放するか否かを決定する内部抽選や、大当たり遊技に移行するか否かを抽選する内部抽選等がある。
【００３６】
このように、余剰入賞に対する利益の享受と大当たりの当選確率とを関連付ければ、大当たり遊技が遊技者に特に大きな利益をもたらすことから、遊技者を余剰入賞の獲得に熱中させることができる。
【００３７】
なお、時短遊技状態に移行する場合も、確変遊技状態に移行する場合も、それらの特別遊技が繰り返される回数（反復回数）を、大当たり遊技中に発生した全ての余剰入賞数（総余剰入賞数）に応じて決定するようにするとよい。
【００３８】
このように、総余剰入賞数が特別遊技の反復回数を決定するようにすれば、遊技者は大当たり遊技後の遊技展開を少しでも有利なものとすべく、より多くの余剰入賞を獲得しようと大当たり遊技の最後まで遊技に熱中することができ、単調化してしまいがちな大当た
り遊技を大いに楽しむことができる。
【００３９】
また、余剰入賞が発生した場合には、遊技者に余剰入賞の発生を報知する余剰入賞報知手段を設けて遊技者に報知するようにするとよい。
【００４０】
この余剰入賞報知手段は、余剰入賞の発生を音（音楽や音声等）で報知する機能を有したものであってもよいし、映像表示機能を持たせて余剰入賞の発生を、前記表示手段に演出画像として表示したり、余剰入賞数を数字で表示したりする等の機能を有したものであってもよい。
【００４１】
このように、余剰入賞報知手段が映像表示機能を有する場合には、遊技者は余剰入賞の発生を自動的に映像というわかりやすい方法で知ることができる。特に、前記演出画像を遊技者が余剰入賞をなしえたことを賞賛する華やかな演出画面とすれば、遊技者の満足感や優越感を増長させることができる。さらに、これまでに発生した余剰入賞数を数字で表示すれば、遊技者は自分が獲得した余剰入賞数を数字で把握することができ、余剰入賞に関する自分の遊技技量を数量的に把握することができるとともに、遊技の展開を容易に予測することができる。
【００４２】
さらに、前記特別遊技状態は、複数の特別遊技状態のうちからいずれか１つを遊技者が選択可能とすることができる。
【００４３】
すなわち、特別遊技状態として、前記時短遊技状態や、前記確変遊技状態等、複数の特別遊技状態を用意しておき、遊技者が大当たり遊技中に余剰入賞を獲得することができたら、これらの特別遊技状態のうちからいずれか1つの特別遊技状態を選択しできるようにするのである。そして、大当たり遊技終了後に遊技者の選択した特別遊技状態へ移行するのである。
【００４４】
ここで、遊技者に特別遊技状態を選択してもらうタイミングは、余剰入賞が発生したタイミングに限らず、予め選択しておいてもらってもよい。
【００４５】
このように、利益の享受方法に対する選択権を遊技者に与えることができるので、遊技者は好みや気分によって遊技の展開を決定することができ、遊技の展開に自分の意志を介入できる満足感を得ることができる。
【００４６】
本実施の形態に係る上記パチンコ遊技機における実際の遊技態様について簡単に説明する。
【００４７】
遊技者は遊技ハンドルを操作して遊技球を次々と発射させる。
【００４８】
遊技盤上に発射された遊技球が始動口と呼ばれる特定入賞口に入球すると、前記「可変表示ゲーム」が実行され、複数の識別情報が液晶表示装置などからなる前記表示手段上で可変表示され、これが停止表示されたときの識別情報が所定の組合せとなった場合、大入賞口を開放して大当たり遊技状態が発生する。
【００４９】
本実施の形態では、この大入賞口の開放中に１０個の遊技球が入賞するか若しくは大入賞口が開放されてから２９秒が経過すると、大入賞口を閉鎖するようにしている。
【００５０】
ここで、大入賞口内は、特定入球口と一般入球口とに区画されており、前記大入賞口の開放中に特定入球口内に遊技球が少なくとも１個入賞すると、大入賞口は閉鎖された後再度開放するようにしている。このような大入賞口の開閉動作は例えば１５ラウンドを限度
として行われるため、遊技者は先ず特定入球口内に遊技球を入賞させて次回ラウンドを確保しながら、所定時間内に上限入賞数を超える余剰入賞の発生を期待して開放された大入賞口内に遊技球を集めるように努める。
【００５１】
そして、余剰入賞が発生すると、これまでに獲得した余剰入賞数を示す数字とともに、遊技者が余剰入賞をなしえたことを賞賛する華やかな演出画面を前記表示手段上に表示することによって、遊技者に余剰入賞の発生を報知する。
【００５２】
そのため、遊技者は余剰入賞の発生を自動的に映像というわかりやすい方法で知ることができる。また、余剰入賞をなしえたことを賞賛する演出によって、遊技者の満足感や優越感を増長させることができる。さらに、余剰入賞数が数字で表示されるので、遊技者は余剰入賞に対する遊技技量を数量的に把握することができるとともに、大当たり遊技後の遊技展開を予測することができる。
【００５３】
こうして余剰入賞の獲得に熱中しながらラウンドが次々と消化され、しかも、各ラウンド中には通常の入賞球数に見合った賞球が大入賞口に入賞した全ての入賞球に対して連続的に払い出される。
【００５４】
最終ラウンドが終了すると、いずれかのラウンドにおいて余剰入賞が1度でも発生したことを条件として、大当たり遊技後に移行する特別遊技状態を、時短遊技状態と確変遊技状態とのうちからいずれか1つの特別遊技状態を遊技者に選択してもらい、大当たり遊技終了後に遊技者が選択した特別遊技状態へと移行する。
【００５５】
なお、特別遊技の反復回数は、前記大当たり遊技中に発生した全ての余剰入賞数(総余剰入賞数）によって決定される。
【００５６】
そのため、遊技者は、大当たり遊技中により多くの余剰入賞を発生させようと大当たり遊技の最後まで遊技に熱中することができる。
【００５７】
ところで、前記識別情報としては、数字を含む文字、記号、絵柄又は模様等の図柄からなり、これらが複数設けられた複数の識別情報群が表示手段上に変動表示及び停止表示される。そして、かかる識別情報群を変動表示及び停止表示する前記表示手段は、前記液晶表示装置の他、ＣＲＴからなるディスプレイとしてもよい。さらに、本実施の形態における表示手段としては、その他の７セグメント表示器やランプ類、或いはスピーカなどの音声出力装置なども含まれる。また、かかる表示手段は、遊技機内に配設した制御部により制御される。
【００５８】
この制御部には、前記表示手段を制御する他、上述したパチンコ遊技を進めていくためのパチンコ遊技プログラムが格納されている。
【００５９】
このパチンコ遊技プログラムは、特定入賞領域（大入賞口）への遊技球の入球数をカウントするカウント機能と、可変入賞手段（可変入賞装置）の大入賞口を、特定の入賞口（始動口）に入賞したことを受けて行われる内部抽選に当選したことを受けて開状態に変化し、前記カウント機能が予め定められた上限数の入球数をカウントするか若しくは所定時間が経過するまで開状態を維持し、前記カウント機能が予め定められた上限数の入球数をカウントするか若しくは所定時間が経過すると閉状態に変化する可変入賞装置制御機能と、前記特定入賞領域（大入賞口）の開閉動作が所定回数繰り返し行われる大当たり遊技を実行する大当たり実行機能と、前記カウント機能が予め定められた上限数を超えた余剰入賞数を所定数カウントしたことを条件として、前記大当たり遊技後に遊技者にとって有利な特別遊技状態へ移行させる特別遊技状態移行機能とをコンピュータに実現するためのプ
ログラムである。
【００６０】
また、上述してきた遊技機としては、必ずしも実際の鋼球からなる遊技球を用いる必要はなく、パチンコ遊技盤を遊技画面として画像表示するディスプレイ上に仮想遊技球を映像として打出し可能な遊技ハンドル（操作部）と、前記したパチンコ遊技プログラムを実行する制御部とを備えた映像パチンコ遊技機であっても構わない。さらに、表示手段としての表示部と制御部とを備えた業務用若しくは家庭用のゲーム機に適用することも可能である。
【００６１】
またさらには、汎用のコンピュータや携帯端末装置等に、上記パチンコ遊技プログラムをはじめ、各種の制御を行うソフトウェアをインストールしたものにも適用できる。この場合、上述してきた遊技盤を含む遊技機画像の表示を実行させることのできる表示プログラムを含む前記パチンコ遊技プログラムを格納した記憶媒体を介して遊技を行うことができる。或いは、インターネットなどを介して前記パチンコ遊技プログラムをダウンロードして遊技することができる。つまり、遊技機としては、サーバと端末機（クライアント）とに分割して構成したものであってもよいし、端末機と通信可能であり、パチンコ遊技機を示す遊技機画像を各端末機に表示可能としたサーバであってもよい。
【００６２】
以下、本発明の実施の形態を、図面に基づいてより具体的に説明する。なお、以下に説明する遊技機は、実際の鋼球からなる遊技球を用いるパチンコ遊技機としている。
【００６３】
（パチンコ遊技機の構成）
図１は本実施の形態に係るパチンコ遊技機１０の正面図を示しており、パチンコ遊技機１０は、矩形枠状の本体枠１２に矩形板状の遊技盤１４を組込み、同遊技盤１４の前面に前記本体枠１２の窓枠１６を設け、さらに、同窓枠１６の下側であって、本体枠１２の前面には上皿２０及び下皿２２を設けるとともに、同下皿２２の右側に発射ハンドル２６を配設している。
【００６４】
また、遊技盤１４の前面には複数の障害釘（図１では入賞口の直上方に設けたものを除いて省略している）を打ち込んでいる。なお、釘を打ち込むような構成とせず、遊技盤１４を樹脂素材で成形し、この樹脂素材の遊技盤１４に棒状体を遊技盤１４の前方向に突出するように一体的に突設する構成としてもよく、かかる構成とした遊技装置（所謂「パチコン機」）にも本発明を適用することができる。
【００６５】
図１中、２０ａは前記上皿２０内の遊技球を下皿２２へ送るバイパス路開閉ボタン、４６はスピーカ、２８は前記発射ハンドル２６の裏側に設けたソレノイド、２６ａは前記ソレノイド２８の一時停止ボタン、２９は前記発射ハンドル２６の周縁部に設けたタッチセンサである。なお、前記ソレノイド２８に代えて発射モータを用いてもよい。
【００６６】
上記構成により、遊技球はガイドレール３０に案内されて遊技盤１４上に発射され、上述した複数の障害釘との衝突によりその進行方向を変えながら遊技盤１４の下方に向かって落下し、後述する各種入賞口に入らなかった遊技球は、遊技盤１４の中央最下部に位置する排出口５３から回収される。
【００６７】
遊技盤１４を拡大した拡大正面図を図２に示す。なお、図２においても図１同様に障害釘の大部分を省略している。
【００６８】
図２に示すように、遊技盤１４の前面の略中央には、表示手段としての液晶パネルからなる表示装置３２を設けており、この表示装置３２上に、それぞれ図柄からなる１０種類の識別情報を有する識別情報群を横３列に表示可能とするとともに、その他様々な演出画
像を静止画や動画で表示可能としている。なお、前記識別情報の図柄種類は１０種類に限定されるものではなく、複数種であればよい。そして、この識別情報を変動表示する前記表示装置３２は、遊技者が見得るような位置であればパチンコ遊技機１０の何処の位置に設けても構わない。
【００６９】
５２は小型の副表示装置であり、識別情報の一つである数字や記号等からなる普通図柄を、変動と停止とを繰り返すように可変表示することができる。
【００７０】
表示装置３２の下部には、後述する可変表示ゲームが開始される契機となる特定の入球口としての始動口４４を設けている。５８（５８ａ,５８ｂ）はこの始動口４４に付設した電動チューリップと呼ばれる開閉動作可能な可動片であり、開時には遊技球を前記始動口４４へガイド可能としている。
【００７１】
また、表示装置３２の左右側部には、球通過検出器５５ａ,５５ｂとバイパス通路入口５１ａ,５１ｂとを設けている。そして、前記球通過検出器５５ａ,５５ｂが遊技球の通過を検出したときに前記普通図柄が変動し、所定の図柄で停止表示されると、ソレノイド５７（図３参照）により前記可動片５８（５８ａ,５８ｂ）を駆動し、前記始動口４４に遊技球が入りやすくなるようにしている。他方、前記バイパス通路口５１ａ,５１ｂに遊技球が入ると、バイパス通路５１’，５１’を通過して前記始動口４４の直上方まで遊技球を案内し、始動口４４に遊技球が入りやすくなるようにしている。
【００７２】
上述した副表示装置５２の左右両側には、４つの保留ランプ３４（３４ａ〜３４ｄ）を設けている。
【００７３】
また、前記表示装置３２の左右両側には、遊技球の経路を所定の方向に誘導するための風車状の転動誘導部材６０（６０ａ,６０ｂ）を設けるとともに、遊技盤１４の外側の上左側と上右側とには、装飾ランプ３６（３６ａ，３６ｂ）を設けている。
【００７４】
さらに、遊技盤１４の下部には、後述する大当たり入賞装置Ｍを設けるとともに、遊技盤１４の全域にわたって、複数の一般入賞口５０，５４ａ,５４ｂ及び第２の一般入賞口５６（５６ａ,５６ｂ,５６ｃ,５６ｄ）を設けている。
【００７５】
ここで、前記大当たり入賞装置Ｍについて説明する。
【００７６】
大当たり入賞装置Ｍは、可変入賞手段として設けられており、可変入賞装置である大入賞口３８が形成された前カバー２００と、後カバー２０１との間に装置各部材が介設されており、後述する可変表示ゲームによって大当たり遊技状態になった場合に、ソレノイド４８の駆動により前後に揺動して前記大入賞口３８を閉鎖状態及び開放状態にするシャッタ４０と、同シャッタ４０の後方に配され、ソレノイド２０５により駆動されて左右に傾動するスイング板２０６とを備えている。
【００７７】
そして、前記シャッタ４０の開放時に、スイング板２０６を介して遊技球が特定入球口である特定入球口２０４に入球すると、シャッタ４０は所定時間経過或いは所定数入球後においても次のシャッタ４０の開放が約束され、これが繰り返されることで遊技者にとって有利な大当たり遊技状態を実現するようにしている。
【００７８】
前記シャッタ４０が開放され、予め定められた所定時間（本実施の形態では２９秒とする）経過するか、或いは遊技球が前記大入賞口３８に上限数（本実施の形態では１０個とする）入賞して閉鎖するまでの１サイクルを大当たり遊技状態の１ラウンドとしており、本実施の形態における大当たり遊技状態では、１５ラウンドを上限として繰り返すことが
できるようにしている。そして、各ラウンドにおいて、前記大入賞口３８に入賞した遊技球数（入賞数）に応じた賞球が逐次払い出される。
【００７９】
賞球の払い出しは、大入賞口３８への入賞を球検知センサ４５（図４参照）で検出することにより行われ、入賞１個あたり所定個数（本実施の形態では１０個）の賞球を払出装置５９（図４参照）により払い出すようにしている。
【００８０】
また、前記球検知センサ４５により検出した入賞個数は、カウント手段であるカウンター６３（図４参照）により累積的にカウントされている。このカウンター６３が上限入賞球数である１０個をカウントすると前記シャッタ４０は閉鎖されるのであるが、閉鎖タイミングと遊技球の落下タイミングによっては、遊技球が上限入賞球数（１０個）を超えて大入賞口３８へ入賞する場合がある。この場合、本実施の形態ではこれを余剰入賞として、前記カウンター６３によりカウント可能としている。すなわち、本実施の形態に係るパチンコ遊技機１０では、１０個を超えて大入賞口３８へ入球した遊技球を余剰入賞として別途記憶するのである。
【００８１】
なお、図３中、２０２はシャッタ軸、２０３は通常領域である通常入球口、２０７はシャッタ４０の裏面に形成した遊技球ガイドである。
【００８２】
（パチンコ遊技機１０の制御）
本実施の形態に係るパチンコ遊技機１０の制御回路を示すブロック図を図４に示す。
【００８３】
図示するように、制御部６１は、中央処理回路（以下、ＣＰＵと称する）６６と、インターフェイス回路群６２，７２と、ＲＯＭ６８、ＲＡＭ７０と、カウンター６３と、これらに接続し、前記ＣＰＵ６６にデータ信号又はアドレス信号を入出力する入出力バス６４とを備えている。
【００８４】
上記インターフェイス回路群６２には、前記発射ハンドル２６と、前記一時停止ボタン２６ａと、前記タッチセンサ２９を接続している。
【００８５】
また、インターフェイス回路群６２には、前記各入賞口に設けた第１〜第３の球検知センサ４２，４３，４５を接続しており、第１の球検知センサ４２は、遊技球が前記始動口４４を通過したときに、第２の球検知センサ４３は、遊技球が一般入賞口５０，５４（５４ａ，５４ｂ）、第２の一般入賞口５６、及び排出口５３を通過したときに、第３の球検知センサ４５は、遊技球が大入賞口３８を通過したときに検出信号をインターフェイス回路群６２にそれぞれ供給する。
【００８６】
さらに、インターフェイス回路群６２には、球通過検出器５５（左側球通過検出器５５ａ，右側球通過検出器５５ｂ）を接続しており、同球通過検出器５５は遊技球が通過したことを検出したときに検出信号をインターフェイス回路群６２に供給する。
前記カウンター６３は、前記第３の球検知センサ４５の検出結果を大入賞口３８への入賞数としてカウントする。
【００８７】
前記ＲＯＭ６８は、パチンコ遊技機１０の遊技全体の流れを制御する遊技プログラムを含む制御プログラムや、個々の識別情報やそれらの組合せや必要な画像データ等を記憶している。
【００８８】
本実施の形態における遊技プログラムは、可変入賞装置Ｍの前記大入賞口３８への遊技球の入球数をカウントするカウント機能と、遊技球が特定の入球口である始動口４４に入球したことを受けて行った抽選に当選したことを受けて、前記大入賞口３８を開状態に変化し、前記カウント機能が予め定められた上限数（１０個）の入球数をカウントするか若しくは所定時間（２９秒）が経過するまで開状態を維持し、前記カウント機能が予め定められた上限数の入球数をカウントするか若しくは所定時間が経過すると閉状態に変化する
可変入賞装置制御機能と、前記大入賞口３８の開閉動作が所定回数（上限値１５回）繰り返し行われる大当たり遊技を実行する大当たり実行機能と、前記カウント機能が予め定められた上限数を超えた余剰入賞数を所定数カウントしたことを条件として、大当たり遊技後に遊技者にとって有利な特別遊技状態へ移行させる特別遊技状態移行機能とをコンピュータに実現するためのプログラムである。
【００８９】
かかるプログラムを実行することにより、遊技球が始動口４４に入球したことを受けて当選かはずれかを内部抽選し、抽選結果に基づいて前記識別情報群が表示装置３２上で変動表示及び停止表示され、抽選結果が当選の場合、停止表示されたときの各識別情報の組合せが特定組合せとなるとともに、大当たり遊技状態に移行する可変表示ゲームを伴うパチンコ遊技を楽しむことができる。しかも、前記大当たり遊技状態においては、前記大当たり入賞装置Ｍの大入賞口３８への入賞を、前記第３の球検知センサ４５が検出し、この検出結果をカウンター６３がカウントして入賞数として累積し、前記第３の球検知センサ４５が１０球を超えて入賞数を検出すると、この１０球を超えた数を余剰入賞として前記カウンター６３がカウントする。そして、余剰入賞が発生したことを遊技者に知らしめるとともに、余剰入賞を獲得したことを賞賛するような華やかな演出表示を表示装置３２に表示する。この演出表示では発生した余剰入賞数を数字で示すようにしている。そのため、遊技者はこれまでに獲得した余剰入賞数を数字で把握することができ、自分の遊技技量を数量的に把握することができるとともに、大当たり遊技後の遊技の展開について予測することもできる。
【００９０】
また、余剰入賞に対しても、大入賞口３８への入賞に対する賞球の払い出しが、通常の大入賞口３８への入賞と同様に行われる。
【００９１】
そして、大入賞口３８に予め定められた上限数の遊技球が入球するか若しくは所定時間が経過すると大入賞口３８を閉鎖する。
【００９２】
このような大入賞口３８の開閉動作が１５回繰り返し実行されたならば、ＣＰＵ６６は、第１ラウンドから第１５ラウンドまでのいずれかのラウンドにおいて余剰入賞が１度でも発生していた場合に、この大当たり遊技後に移行する特別遊技状態の選択を遊技者に促す演出画面を表示装置３２に表示する。
【００９３】
すなわち、表示装置３２には、時短遊技が複数回繰り返される時短遊技状態を示す内容と、前記内部抽選において大当たりに当選する確率が通常よりも高く設定される確変遊技状態を示す内容とが表示されており、これら２つの特別遊技状態のうちから好きなほうを選択するように促す演出画面が表示装置３２に表示される。
【００９４】
ここで、表示装置３２は入力機能を有するタッチパネルを具備しており、遊技者は表示画面上に表示された複数の特別遊技状態を示す内容のうちからいずれか１つをタッチすることによって容易に選択することができるようになっている。
【００９５】
こうして、大当たり遊技終了後に遊技者によって選択された特別遊技状態へと移行する。
【００９６】
ここで、遊技者が時短遊技状態を選択した場合の時短処理回数及び、遊技者が確変遊技状態を選択した場合の高確率による内部抽選回数は、大当たり遊技中において発生した総余剰入賞数、すなわち、１ラウンドから１５ラウンドのそれぞれにおいて発生した余剰入賞数の合計数によって決定される。
【００９７】
このように、余剰入賞が所定回数発生した場合には、大当たり遊技後に遊技者にとって
有利な特別遊技状態へ移行させることができる。
【００９８】
したがって、遊技者は大当たり遊技中に余剰入賞に対する利益を享受することができるだけではなく、大当たり遊技後にも余剰入賞に対する利益を引き続き享受することができるため、余剰入賞に対する十分な利益還元に満足することができる。
【００９９】
また、ＲＯＭ６８は、前記表示装置３２において可変表示ゲームが実行される際に、変動表示や停止表示される識別情報の画像データ、演出画面として表示される画面画像としてのキャラクタを示すキャラクタ画像データ、表示装置３２の背景を構成する背景画像データ、及び動画映像画像データ、並びに遊技に用いる音データ、前記制御プログラムを実行するための初期データや、前記装飾ランプ３６の点滅動作パターンと、これらを制御するプログラム等を記憶している。
【０１００】
さらに、ＲＯＭ６８は、通常大当たりと確変大当たりとを発生させる抽選を行うために必要な確率テーブルや当該確率テーブルを用いて抽選を行うためのプログラムなどを記憶している。ここで、通常大当たりとは、遊技者に有利な特別遊技状態である大当たり遊技状態が終了すると、直ちに通常遊技に戻る大当たりであり、確変大当たりとは、前記大当たり遊技状態へ移行した後、引き続きこの大当たり遊技状態へ高確率で再度移行可能な大当たりをいう。
【０１０１】
一方、前記ＲＡＭ７０は、上述した各プログラムで使用するフラグや変数の値等を記憶している。すなわち、ＣＰＵ６６による演算結果や遊技の履歴を示す累積リーチデータ、累積変動数、可変表示ゲーム実行中に前記カウンター６３によりカウントした余剰入賞数や累積大当たり回数等を記憶している。
【０１０２】
そして、制御部６１内のＣＰＵ６６は、前記ＲＯＭ６８から所定のプログラムを呼び出して実行することにより演算処理を行い、この演算処理の結果に基づいて各種の制御を行う。
【０１０３】
特に、本実施の形態では、前述したように、大当たり遊技状態の各ラウンドにおいて、大入賞口３８への遊技球の入球数が予め定められた上限数（１０個）を超えて所定数カウントした場合には、大当たり遊技後に遊技者にとって有利な特別遊技状態へ移行するように制御している。このように、ＣＰＵ６６は、余剰入賞数に関する情報を読み出して、大当たり遊技後の遊技形態を変化させるように制御している。
【０１０４】
また、前記インターフェイス回路群７２には、表示装置３２、副表示装置５２、スピーカ４６、発射ハンドル２６用のソレノイド２８、保留ランプ３４及び装飾ランプ３６、さらには可動片５８（５８ａ,５８ｂ）やシャッタ４０を駆動するソレノイド４８，５７，２０５、及び払出装置５９を接続しており、ＣＰＵ６６における演算処理の結果に応じて上述した各装置類それぞれを制御すべく駆動信号や駆動電力を供給する。
【０１０５】
なお、前記表示装置３２は、変動図柄表示部と演出画面表示部とからなり、ＣＰＵ６６の制御によりこれらの２つの表示部に表示される画面の双方を合成して表示する。
【０１０６】
また、保留ランプ３４は、可変表示ゲーム実行中に始動口４４に入球した保留球数を表示するもので、識別情報群を変動表示させるに有効な回数が示される。また、払出装置５９は、遊技球の入賞に応じて上皿２０又は下皿２２に予め定められた数の遊技球を払い出すものである。
【０１０７】
本実施の形態では、上述したＣＰＵ６６などからなる演算処理装置により制御部６１が
構成され、この制御部６１により、大当たり実行手段、特別遊技状態移行手段、及びカウント手段が構成される。また、制御部６１と表示装置３２とにより余剰入賞報知手段が構成されている。
【０１０８】
なお、本実施の形態ではＣＰＵ６６などからなる演算処理装置を１つとしているが、必ずしも１つである必要はなく、メインの演算処理装置としての主制御部と、画像表示を司るサブの演算処理装置としての副制御部を含む構成とすることもできる。また、上記したＲＯＭ６８やＲＡＭ７０も、複数個備える構成であっても構わない。
【０１０９】
（パチンコ遊技機１０の動作）
本実施の形態に係るパチンコ遊技機１０は上述してきた構成となっており、その動作を以下に説明する。なお、以下の説明において、パチンコ遊技機１０は起動しており、上述したＣＰＵ６６において用いられる変数は所定の値に初期化され、定常動作しているものとする。
【０１１０】
まず、パチンコ遊技機１０は、パチンコ遊技を制御するパチンコ遊技プログラムを実行し、かかるプログラムから所定のタイミングで図５に示す遊技球検出ルーチンを呼び出して実行するようにしている。
【０１１１】
図５に示すように、遊技球検出ルーチンでは、最初に入賞口（一般入賞口５０，５４ａ，５４ｂ並びに第２の一般入賞口５６ａ〜５６ｄ）に遊技球が入ったか否かを検出する（ステップＳ１１）。
【０１１２】
ステップＳ１１において、上記入賞口に遊技球が入ったと判別したときには、入賞口の種類に応じて予め定められた数の遊技球を払い出す処理を実行する（ステップＳ１２）。
【０１１３】
次に、始動口４４に遊技球が入ったか否かを判断する（ステップＳ１３）。このステップＳ１３において、始動口４４に遊技球が入ったと判別したときには内部抽選実行処理（ステップＳ１４）を実行し、次いで可変表示ゲームを実行する。ステップＳ１４における内部抽選実行処理では、「通常大当たり」、「確変大当たり」及び「はずれ」のいずれか１つの結果を発生させる処理を行うものである。
【０１１４】
さらに、球通過検出器５５ａ,５５ｂを遊技球が通過したか否かを判断する（ステップＳ１６）。球通過検出器５５ａ,５５ｂを遊技球が通過したと判別したときには、普通図柄を変動表示させる処理を実行する（ステップＳ１７）。
【０１１５】
次に、上述したステップＳ１４において呼び出されて実行される内部抽選実行処理を行うサブルーチンを図６に示す。
【０１１６】
なお、以下の説明において、変動図柄とは、表示装置３２に表示される識別情報のうちで変動表示状態にある図柄を指し、停止図柄とは、この変動表示された変動図柄が最終的に停止したときに表示される図柄を指すものとする。
【０１１７】
上述した抽選実行処理が開始されると、まず、ＣＰＵ６６の演算処理による内部抽選処理を実行する（ステップＳ１００）。すなわち、ＣＰＵ６６は、前記ＲＯＭ６８に記憶された内部抽選に用いられる確率テーブルをＲＡＭ７０に設定するとともに、乱数のサンプリングを行う。
【０１１８】
なお、確率テーブルをＲＡＭ７０に設定する処理は、ステップＳ１００を実行するたび
に行う必要はなく、常にＲＡＭ７０に設定しておいてもよい。また、ＲＯＭ６８に内部抽選に用いられる確率テーブルを複数記憶させておき、必要に応じて異なる確率テーブルをＲＡＭ７０に設定することとして、通常大当たりを発生させる確率、確変（特別）大当たりを発生させる確率、及び、はずれを発生させる確率を変更させることもできる。
【０１１９】
次に、「通常大当たり」、「確変大当たり」及び「はずれ」のうち、どの結果が得られたかについて判断する（ステップＳ１０１）。
【０１２０】
ステップＳ１０１において、はずれの抽選結果が得られたと判断した場合、ＣＰＵ６６は、はずれに対応する抽選データをＲＡＭ７０に記憶する（ステップＳ１０２）。このとき、はずれが発生したことになる。なお、この抽選データは可変表示ゲームを実行する際に用いられるデータであり、ＣＰＵ６６は、当該抽選データに基づき、可変表示ゲーム処理ルーチンにおいて、変動図柄を所定の組合せで停止表示させる。
【０１２１】
ステップＳ１０１において、通常大当たりの結果が得られたと判断した場合、ＣＰＵ６６は、通常大当たりに対応する抽選データなどをＲＡＭ７０に記憶し（ステップＳ１０３）、さらに、通常大当たり情報を記憶する（ステップＳ１０４）。このとき、通常大当たりが発生したことになる。
【０１２２】
また、ステップＳ１０１において、確変大当たりの結果が得られたと判断した場合、ＣＰＵ６６は、確変大当たりに対応する抽選データなどをＲＡＭ７０に記憶し（ステップＳ１０７）、さらに、確変大当たり情報を記憶する（ステップＳ１０８）。このとき、確変大当たりが発生したことになる。
【０１２３】
次いで、大当たり遊技状態が現在発生しているか否かを判断し（ステップＳ１１０）、大当たり遊技状態が発生していると判断した場合、本サブルーチンを終了する。
【０１２４】
一方、ステップＳ１１０において、大当たり遊技状態が発生していないと判断した場合、進行（表示）中の可変表示ゲームが存在するか否か判断する（ステップＳ１１１）。進行（表示）中の可変表示ゲームとは、現在、表示装置３２に表示され、遊技者が見ることが可能な状態にあり、変動図柄が停止表示される前の可変表示ゲームである。すなわち、進行（表示）中の可変表示ゲームが存在するということは、既に、１つの遊技球が始動口４４に入り、後述する可変表示ゲーム処理ルーチンが実行されているということである。
【０１２５】
ステップＳ１１１において、進行（表示）中の可変表示ゲームが存在しないと判断した場合、可変表示ゲームを実行する（ステップＳ１１２）。一方、進行（表示）の可変表示ゲームが存在すると判断した場合、本サブルーチンを終了する。
【０１２６】
次に、図６に示すステップＳ１１２において呼び出されて実行される可変表示ゲーム処理を行うサブルーチンについて、図７を用いて説明する。本サブルーチンが呼び出されることにより、表示装置３２において表示されていた固定画面を通常画面へと切り替え、可変表示ゲームを開始する。なお、固定画面とは、表示装置３２において実行される可変表示ゲームは実行されておらず、パチンコ遊技機１０においてパチンコ遊技のみが進行している際に表示装置３２に表示される画面をいう。また、通常画面とは、表示装置３２において可変表示ゲームが開始されて表示装置３２に表示される図柄（識別情報）が変動表示されてから、可変表示ゲームがリーチとなったり大当たりとなったりしたときの状態に至るまでのあいだに、表示装置３２に表示される演出画面をいう。
【０１２７】
ここで、可変表示ゲームは、複数の識別情報の変動表示が開始されてから停止表示されるまでを１回とするゲームである。本実施の形態に係るパチンコ遊技機１０において予め
設定されている識別情報は、「０」、「２」、…、「９」からなる１０個の算用数字からなる図柄を１つの組として、これらの１０個の図柄を表示装置３２に順次表示し、その図柄が移動するように表示しつつ、図柄自身が変化するように変動表示する。
【０１２８】
例えば、表示装置３２において、図柄の「１」を表示装置３２の上から下へスクロールするように表示した後、図柄の「２」を上から下へスクロールするように表示し、続いて図柄の「３」を同様に上から下へスクロールするように表示するのである。そして、図柄の「０」から図柄の「９」までをこのような態様で表示した後、再び図柄の「０」をスクロールするように表示し、同様の表示を順次繰り返すのである。表示装置３２においてこのように図柄を表示することにより、「０」から「１」へ、「１」から「２」へと、また「２」から「３」へと、図柄がスクロールされながら順次変化して「９」まで表示され、次に再び「０」が表示されることとなるのである。なお、上述した図柄の組（識別情報群）は、スロットマシンにおいて用いられる１本のリールに表示された図柄の組に対応する概念である。
【０１２９】
さらに、可変表示ゲームが表示装置３２において実行されるときには、複数の組からなる識別情報群の各々に属する図柄を表示する。例えば、３つの識別情報群に属する図柄の各々を横方向に配列させて表示することとした場合には、１つの識別情報群に属する図柄は表示装置３２の左側に表示され、他の識別情報群に属する図柄は表示装置３２の中央に表示され、残りの識別情報群に属する図柄は表示装置３２の右側に表示される。
【０１３０】
このように識別情報である図柄を表示することにより、表示部である表示装置３２には複数の識別情報が表示されることとなる。なお、可変表示ゲームが実行される際における組の数は、３つに限られることはなく、３以外の複数個の識別情報群（組）に属する図柄を表示装置３２に表示することとしてもよい。
【０１３１】
さらに、１つの識別情報群に属する図柄について、複数個の図柄を表示することとしてもよく、例えば、１つの識別情報群に属する３つの図柄を同時に変動表示するように表示することとし、３つの識別情報群について表示することとした場合には、表示装置３２には、合計９個の図柄が変動表示されることとなる。
【０１３２】
そして、複数の識別情報群に属する図柄を変動表示した後、変動表示されていた全ての図柄を所定のタイミングで停止表示した際に、これらの図柄の組合せが所定の組合せに合致して停止表示されたときには、遊技者から見れば可変表示ゲームが「大当たり」に当選したことになり、大当たり遊技状態が発生し、遊技者に対して有利な状態の提供が行われる。
【０１３３】
前述した内部抽選処理によって、ＣＰＵ６６の演算処理による内部抽選処理を実行し、上述したステップＳ１０２、Ｓ１０３またはＳ１０７においてＲＡＭ７０に記憶した抽選データに基づいて、変動表示されている図柄を全て停止表示させたときの図柄の組合せを予め決定し、可変表示ゲームが開始されると、図７に示すように、抽選データを更新（減少）させる（ステップＳ２０１）。すなわち、ＣＰＵ６６は、ＲＡＭ７０に記憶された抽選データの中から、今回の可変表示ゲーム処理に使用する抽選データを可変表示ゲーム処理領域に呼び出し、これまで抽選データが記憶されていた領域からは当該抽選データを消去する処理を行う。
【０１３４】
次に、選択された背景画像の画面構成情報がＲＡＭ７０に生成される（ステップＳ２０２）。すなわち、ＣＰＵ６６によって、内部抽選処理の結果や、可変表示ゲームの進行状況等に応じて、背景画像を選択するプログラムがＲＯＭ６８から呼び出され実行される。上記背景画像としては、特に限定されるものではなく、可変表示ゲームの進行状況や、上
記内部抽選処理の結果に基づいて、ＣＰＵ６６によって、適宜選択される。
【０１３５】
次に、選択されたキャラクタ画像の画面構成情報がＲＡＭ７０に生成される（ステップＳ２０３）。すなわち、上記プログラムの実行結果に基づいて、ＣＰＵ６６により選択されたキャラクタ画像の画面構成情報が、ＲＡＭ７０に生成される。このとき、例えば、１／６０秒や、１／３０秒等毎の一定間隔の周期（フレームスパン）で、キャラクタ画像の先頭位置が所定の移動量分ずれるように制御することにより、キャラクタ画像に動きを与えて表示させることができる。
【０１３６】
次いで、識別情報である変動図柄の画面構成情報が、上記プログラムの実行結果に基づいて、ＣＰＵ６６によって、ＲＡＭ７０に生成される（ステップＳ２０４）。
【０１３７】
上記変動図柄を構成する各図柄となる画像の画面構成情報は、上述したプログラムに基づいて、ＣＰＵ６６により生成される。また、各変動図柄となる画像が、所定の順序で順次生成されるように制御して、変動図柄の変動表示を行うことができる。さらに、フレームスパンや、画面構成情報の読み出しの先頭位置等を調整することによって、変動図柄の変動速度を制御することができるため、背景画像において、展開されている物語等に応じて、変動図柄の変動を滑らかにさせ、背景画像と、変動図柄との融合を図ることも可能である。
【０１３８】
次に、１つの変動図柄を停止表示させるタイミングであるか否かを判断する（ステップＳ２０５）。すなわち、複数、例えば、三つの組（識別情報群）のうち、１つの組に属する図柄を停止表示させるタイミングであるか否かを判断する。
【０１３９】
変動図柄を停止表示させるタイミングであると判断したときには、ＣＰＵ６６によって、１つの変動図柄を停止表示させる態様で変動図柄を表す変動図柄画像が選択され、該変動図柄画像の画面構成情報がＲＡＭ７０に生成される（ステップＳ２０６）。
【０１４０】
次いで、ステップＳ２０２〜２０７において、ＲＡＭ７０に生成された画面構成情報に基づいて、ＣＰＵ６６によって、ＲＯＭ６８から、上記画面構成情報に対応する各画像データが読み出される。読み出された各画像データは、その後、上記画面構成情報内の表示される優先順位や、位置等に関する情報によって、表示装置３２に表示される画像データとされた後、表示装置３２に送信されて表示される（ステップＳ２０７）。上述したステップＳ２０２〜Ｓ２０７の処理は、後述するステップＳ２０８において複数の識別情報群に属する図柄の全てが停止表示されたと判別されるまで繰り返し実行される。このように処理を繰り返し実行することにより、所定の態様でスクロールするように図柄を変動表示することができ、また、キャラクタ画像も所定の動作をするように表示することができる。
【０１４１】
ステップＳ２０７の処理を実行した後、複数の組に属する図柄の全てが停止表示されたか否かを判断する（ステップＳ２０８）。
【０１４２】
複数の識別情報群に属する図柄の全てが停止表示されていないと判断したときには、処理をステップＳ２０２に戻す。一方、複数の識別情報群に属する図柄の全てが停止表示されたと判断したときには、ＲＡＭ７０に記憶された通常大当たり情報若しくは確変大当たり情報が存在するか否かを判断する（ステップＳ２０９）。
【０１４３】
大当たり情報が存在すると判断した場合、大当たり実行処理を行い（ステップＳ２１０）、大当たり遊技状態を発生させ、遊技者に対して有利な状態の提供を行う。
【０１４４】
一方、ＲＡＭ７０に記憶された大当たり情報が存在しないと判断した場合、ＲＡＭ７０に記憶された抽選データが存在するか否かを判断する（ステップＳ２１１）。ＲＡＭ７０に記憶された抽選データが存在しないと判断した場合、待機中の可変表示ゲームは存在しないことになるので、本サブルーチンを終了する。
【０１４５】
一方、ステップＳ２１１において、ＲＡＭ７０に記憶された抽選データが存在すると判断した場合、待機中の可変表示ゲームが存在することになるので、ＲＡＭ７０に記憶された抽選データのうち、最も古い抽選データを読み出し（ステップＳ２１２）、処理をステップＳ２０１に戻す。その後、ＣＰＵ６６は、読み出した抽選データに基づいて、ステップＳ２０１〜Ｓ２０９の処理を繰り返し実行することになる。
【０１４６】
前記大当たり実行処理（ステップＳ２１０）において実行される大当たり実行処理ルーチンについて、図８を用いて説明する。なお、以下の説明では、大当たり遊技状態において断続的に１５回の大当たり遊技が提供されることとする。また、当該大当たり遊技は、大入賞口３８が開放状態となってから、当該大入賞口３８に１０球の遊技球が入るまで、又は、所定の時間（２９秒）が経過するまでを１回とする遊技である。さらに、１回の大当たり遊技を、前述したように１ラウンドとする。また、「通常の大当たり遊技状態となる通常大当たり」と「確率変動状態での大当たり遊技状態となる確変大当たり」とでは異なる点がほとんどないため、区別しないで説明する。
【０１４７】
この大当り実行処理ルーチンにおいては、まず、大当たり遊技のラウンド回数であるｎをｎ＝１に設定する（ステップＳ３０１）。すなわち、ＣＰＵ６６は、ＲＡＭ７０に設けられた大当たり遊技のラウンド回数を記憶するテーブル（ラウンド数記憶テーブル）にｎ＝１であることを記憶させる。また、後述するＲＡＭ７０の所定テーブル（大入賞口遊技球記憶テーブル，余剰入賞数記憶テーブル）をクリアする。
【０１４８】
次いで、大入賞口３８が開放状態となるタイミングであるか否かを判断する（ステップＳ３０２）。
【０１４９】
上記大入賞口３８が開放状態となるタイミングであると判断したときは、シャッタ４０を開方向へ駆動させて大入賞口３８を開放する（ステップＳ３０３）。
【０１５０】
すなわち、ＣＰＵ６６は、インターフェイス回路群７２を介して、ソレノイド４８に駆動信号を供給することによりシャッタ４０を前方へ傾動させて大入賞口３８を開放状態とする。これにより、遊技者が大入賞口３８へ遊技球を入れることが可能となる。
【０１５１】
一方、上記大入賞口３８が開放状態となるタイミングでないと判断したときは、処理をステップＳ３０２に戻す。
【０１５２】
次に、大入賞口３８に遊技球が入ったか否かを判断する（ステップＳ３０４）。遊技球が大入賞口３８に入ったか否かは、本実施の形態では大入賞口３８に設けられた前記第３の球検知センサ４５により判断される。
【０１５３】
そして、大入賞口３８に設けられた第３の球検知センサ４５により遊技球が検出された際には、検出信号をインターフェイス回路群６２に供給する。この検出信号を受け取ったＣＰＵ６６は、カウンター６３を駆動させて球数をカウントするとともに、カウント結果をＲＡＭ７０の所定テーブル（大入賞口遊技球記憶テーブル）に遊技球の入賞数として記憶させ（ステップＳ３０５）、同時に前記第３の球検知センサ４５からの検出信号ごとに払出装置５９に制御信号を送信して払出装置５９を駆動させ、予め定められた数（１０個）の遊技球を払い出す処理を実行する（ステップＳ３０６）。
【０１５４】
ステップＳ３０４において、大入賞口３８に遊技球が入っていないと判断した場合、又は、ステップＳ３０６において遊技球を払い出す処理を実行した場合には、次に、大入賞口３８に上限数（１０個）の遊技球が入ったか否かを判断する（ステップＳ３０７）。すなわち、ＣＰＵ６６は、大入賞口遊技球記憶テーブルに記憶された遊技球の数とＲＡＭ７０の別の領域に記憶された上限入賞数（１０球）とを比較し、大入賞口３８に入った遊技球が上限入賞数（１０球）となっているか否かを判断する。
【０１５５】
大入賞口３８に上限数の遊技球が入っていないと判断したときは、大入賞口３８が開放状態となってから所定の時間（２９秒）が経過したか否かを判断する（ステップＳ３１０）。すなわち、ＣＰＵ６６は、ステップＳ３０２から開始した経過時間のカウントが、所定の時間に達したか否かについて判断する。
【０１５６】
大入賞口３８が開放状態となってから所定の時間が経過していないと判断したときは、処理をステップＳ３０４に戻す。
【０１５７】
一方、ステップＳ３０７において、大入賞口３８に上限数の遊技球が入ったと判断したときは、ＣＰＵ６６は大入賞口３８のシャッタ４０を閉鎖する制御信号をソレノイド４８に出力するが、この出力と実際にシャッタ４０が閉方向へ傾動する間に遊技球が大入賞口３８に飛び込むことがある。これを第３の球検知センサ４５は余剰入賞として検出する。この検出があるかどうかを判断し（ステップＳ３０８）、余剰入賞があると判断した場合は、その検出結果を余剰入賞数としてカウンター６３によりカウントするとともに、カウントした累計数から上限数を引くことによって算出した余剰入賞数をＲＡＭ７０の所定テーブル（余剰入賞数記憶テーブル）に記憶する（ステップＳ３０９）。
【０１５８】
次に、余剰入賞の発生を遊技者に報知すべく、余剰入賞数を示した演出画像を表示装置３２に表示して（ステップＳ３００）ステップＳ３１１に進む。
【０１５９】
また、ステップＳ３０８で余剰入賞がないと判断した場合、前記ステップＳ３１０に進む。
【０１６０】
前記ステップＳ３１０において所定の時間が経過したと判断したときにシャッタ４０を駆動して大入賞口３８を閉鎖する（ステップＳ３１１）。
【０１６１】
このように大入賞口３８の開放時間は、大入賞口３８に入った遊技球の数か、時間かのいずれかの要素により判断され、大入賞口３８に上限数の遊技球が入れば、所定の時間に達しなくとも大入賞口３８は閉鎖され、一方、大入賞口３８に入った遊技球の数が上限数に達していなくても、所定の時間が経過すれば大入賞口３８は閉鎖されるのである。
【０１６２】
次に、大当たり遊技の回数であるｎに１を加算して、ｎ＝ｎ＋１とするように設定する（ステップＳ３１２）。すなわち、ＣＰＵ６６は、ＲＡＭ７０に設けられたラウンド数記憶テーブルにｎ＝ｎ＋１となるようにラウンド数を記憶させる。
【０１６３】
そして、ラウンド数ｎが１４以下であるか否かを判断する（ステップＳ３１３）。すなわち、ＣＰＵ６６は、まず、ラウンド数記憶テーブルに記憶された大当たり遊技の回数を読み出し、この回数とＲＡＭ７０の別の領域に記憶されたｎ＝１４のデータとを比較し、大当たり遊技の回数ｎがｎ≦１４であるか否かを判断する。大当たり遊技の回数ｎがｎ≦１４であると判断したときには、処理をステップＳ３０２に戻す。従って、本サブルーチンでは、ｎが１４を超えるまで、繰り返し大当たり遊技が行われることとなる。
【０１６４】
そして、大当たり遊技の回数であるｎが１４を超えるとき、すなわちラウンド数の最大値である１５回に達した場合は、大当たり情報を更新（減少）させる（ステップＳ３１４）。すなわち、通常大当たりに基づく大当たり遊技状態が発生している場合（大当たり実行処理ルーチンが通常大当たりに基づいて実行されている場合）、ＲＡＭ７０に記憶された通常大当たり情報を削除する。一方、特別大当たりに基づく大当たり遊技状態が発生している場合（大当たり実行処理ルーチンが特別大当たりに基づいて実行されている場合）、ＲＡＭ７０に記憶された特別大当たり情報を１つ削除する。
【０１６５】
次いで、ＣＰＵ６６は、ステップＳ３０９において余剰入賞数記憶テーブルに記憶された全ての余剰入賞数を合計することによって総余剰入賞数Ｓを算出し、この総余剰入賞数Ｓが０個であるか否かを判断する（ステップＳ３１６）。
【０１６６】
ここで、０個ではないと判断した場合には、後述する特別遊技状態移行処理を行う（ステップＳ３１７）。
【０１６７】
特別遊技状態移行処理が終了した場合、およびステップＳ３１６において余剰入賞の累計数が０個であると判断した場合には、本サブルーチンを終了する。
【０１６８】
また、上述してきた大当たり実行処理ルーチンが実行されている間、表示装置３２では、大当たり遊技状態が発生していることを遊技者に認識させるとともに、遊技を盛り上げるための演出画像が表示される。
【０１６９】
なお、本サブルーチンでは、ラウンド回数の上限を１５回としてｎの最大数を１４としたが、ｎは自然数であれば特に限定されず、ラウンド回数の上限に応じて適宜設定してよい。
【０１７０】
次に、図８に示すステップＳ３１７において呼び出されて実行される特別遊技状態変更処理を行うサブルーチンについて、図９を用いて説明する。
【０１７１】
この特別遊技状態変更処理では、余剰入賞が所定回数発生したことを受けて、大当たり遊技後に移行する特別遊技状態を遊技者に選択してもらうことによって決定するとともに、遊技者が大当たり遊技中に獲得した余剰入賞数に応じて前記特別遊技状態が反復される回数を決定する。
【０１７２】
本サブルーチンが呼び出されることにより、表示装置３２において、遊技者にこの大当たり遊技後に移行する特別遊技状態の選択を促す演出画面を表示する（ステップＳ４０１）。
【０１７３】
次に、遊技者が希望する特別遊技状態である選択情報Ｉが入力されたか否か判断する（ステップＳ４０２）。
【０１７４】
ここで、入力されていないと判断した場合には、処理をステップＳ４０２に戻す。
【０１７５】
一方、入力されたと判断した場合には、ＣＰＵ６６は、総余剰入賞数Ｓが予め定められている低レベル余剰入賞数Ｓ１個以下であるか否かを判断する（ステップＳ４０３）。この低レベル余剰入賞数Ｓ１の設定は、余剰入賞の発生の難易度によって決定されるものであり、各パチンコ遊技機によって自由に設定される値であるが、ここでは６個とした。
【０１７６】
ここで、総余剰入賞数Ｓが６個以下であると判断した場合には、大当たり遊技終了後に移行される特別遊技が反復される回数Ｍを３０回とする（ステップＳ４０４）。
【０１７７】
一方、ステップＳ４０３において、総余剰入賞数Ｓが６個以下ではないと判断された場合には、ＣＰＵ６６は、総余剰入賞数Ｓが予め定められている中レベル余剰入賞数Ｓ２個以下であるか否かを判断する（ステップＳ４０３）。この中レベル余剰入賞数Ｓ２も、低レベル入賞数Ｓ１と同様に、各パチンコ遊技機によって自由に設定される値であるが、ここでは１４個とした。
【０１７８】
ここで、総余剰入賞数Ｓが１４個以下であると判断した場合には、大当たり遊技終了後に移行される特別遊技が反復される回数Ｍを４０回とする（ステップＳ４０６）。
【０１７９】
一方、ステップＳ４０５において、総余剰入賞数Ｓが１４個以下ではないと判断した場合には、大当たり遊技終了後に移行される特別遊技が反復される回数Ｍを５０回とする（ステップＳ４０７）。
【０１８０】
ステップＳ４０４，ステップＳ４０６，ステップＳ４０７の処理が終了すると、ＣＰＵ６６はステップＳ４０２において入力された選択情報Ｉは、時短処理遊技か否かを判断する（ステップＳ４０８）。
【０１８１】
ここで、選択情報Ｉは時短処理遊技であると判断した場合には、時短処理遊技をＭ回反復するようにＣＰＵ６６に出力する（ステップＳ４０９）。
【０１８２】
一方、選択情報Ｉは、時短処理遊技ではないと判断した場合には、確変遊技をＭ回反復するようにＣＰＵ６６に出力する。また、ＣＰＵ６６が大当たり遊技終了後の通常状態を決定する際に参照する抽選データを確変大当たりに対応する抽選データに変更する（ステップＳ４１０）。
【０１８３】
ステップＳ４０９およびステップＳ４１０の処理が終了したら、本サブルーチンを終了する。
【０１８４】
次に、図１０を参照しながら、大当たり遊技状態において表示装置３２に表示される画面画像について説明する。
【０１８５】
本実施の形態では、大当たり遊技状態において余剰入賞が発生したならば、表示装置３２に余剰入賞が発生したことを遊技者に知らしめるための画面画像が表示されるようにしており、この画面画像を図１０（ａ）に示す。
【０１８６】
余剰入賞の発生を報知する画面画像は、図１０（ａ）に示したように、遊技者が余剰入賞を獲得したことを賞賛するような華やかな画面画像であるとともに、大当たり遊技状態が開始されてから発生した余剰入賞の累計数を数字で示すようにしている。ここでは、ハート図柄中に算用数字で示しており、図１０（ａ）の場合は余剰入賞の累計数が３であることが分かる。
【０１８７】
このように、余剰入賞の発生を画面画像によって遊技者に知らしめることができるので、遊技者は視覚によってわかりやすく余剰入賞の獲得を知ることができるとともに、余剰入賞を獲得したことを賞賛するような華やかな演出画像により、余剰入賞を獲得した満足感や優越感を増長することができる。
【０１８８】
さらに、これまでに発生した余剰入賞数を数字で把握することもできるので、大当たり遊技後の遊技展開を有利とするために頑張る目安としたり、大当たり遊技後の遊技展開を予測することもできる。
【０１８９】
また、本実施の形態では、大当たり遊技状態において遊技者が１度でも余剰入賞を発生することができたならば、大当たり遊状態と確変遊技状態のうちからいずれか１つを選択できるようにしている。図１０（ｂ）に、遊技者に希望する特別遊技の選択を促すための画面画像を示す。
【０１９０】
表示装置３２上には、「当選確率アップ」と「時短遊技」の二つ特典が示され、これらのうちいずれか一つを遊技者にタッチして選択してもらうように促す画面構成となっている。ここで、表示装置３２は入力機能を有するタッチパネルを具備しており、遊技者は表示装置３２上に表示された複数の特別遊技のうちからいずれか１つの特別遊技をタッチすることによって容易に選択することができるようになっている。
【０１９１】
このように、利益の享受方法に対する選択権を遊技者に与えるようにしたので、遊技者は好みや気分によって大当たり遊技後の遊技の展開を決定することができ、遊技の展開に自分の意志を介入できる満足感を得ることができる。
【０１９２】
（他の実施の形態）
先の実施の形態では、余剰入賞が所定回数発生すると、大当たり遊技後に遊技者が選択した特別遊技状態へ移行するようにして、余剰入賞に対する利益として遊技者に享受される特別遊技状態は、遊技者が選択した特別遊技状態として説明したが、大当たり遊技状態において、余剰入賞が所定回数発生すると、通常大当たりを確変大当たりに変更するか否かを抽選する確変抽選を行い、この確変抽選に当選した場合に、通常大当たりを確変大当たりに変更し、大当たり遊技後に確変遊技状態に移行するようにすることもできる。
【０１９３】
すなわち、通常大当たりに当選して大当たり遊技状態に移行した場合には、各ラウンドにおいて、余剰入賞が１個でも発生した場合に通常大当たりを確変大当たりに変更するか否かを決定する確変抽選を行う。そして、この確変抽選に当選した場合には、通常大当たりを確変大当たりに変更し、大当たり遊技終了後に前記内部抽選における当選確率が高く設定された確変遊技状態へと移行する。
【０１９４】
なお、一度確変抽選に当選したならば、その後余剰入賞が発生したとしても確変抽選は行わない。
【０１９５】
また、確変遊技が繰り返される回数（反復回数）は、大当たり遊技中に発生した全ての余剰入賞数（総余剰入賞数）に応じて決定される。
【０１９６】
このように、余剰入賞が通常大当たりを確変大当たりへと変更できるチャンスとなるようにしたので、単調化してしまいがちな大当たり遊技に技術介入性が生じ、遊技者の遊技技量によって遊技の展開を決定することができる。その結果、遊技者は余剰入賞を発生すべく大当たり遊技に熱中することができる。
【０１９７】
この場合の大当たり実行処理ルーチンについて、図１１を用いて説明する。この大当たり実行処理ルーチンは、確変大当たりに当選して大当たり遊技状態に移行してきた場合は、図８に示した大当たり実行処理ルーチンと同様の処理を行い、通常大当たりに当選して大当たり遊技状態に移行してきた場合は、余剰入賞が発生したことを契機として確変抽選を行い、この確変抽選の結果が当選した場合には、大当たり遊技終了後に確変遊技状態に移行するようにすることによって得ることができる。そのため、大部分は図８に示す大当たり実行処理ルーチンと同じであるので、ここでは、変更にかかる処理についてのみ説明することにする。なお、使用する符号は、図８と同一処理については同一符号を付した。
【０１９８】
余剰入賞数を記憶する（ステップＳ３０９）までのステップは、図８で示した大当たり実行処理ルーチンと同じであるので、ここでの説明は省略する。
【０１９９】
ステップＳ３０９の処理が終了すると、通常大当たりか否かを判断する（ステップＳ３００−０）。
【０２００】
ここで、通常大当たりであると判断した場合には、後述する当選情報が存在するか否かを判断する（ステップＳ３００−１）。
【０２０１】
ここで、当選情報が存在しないと判断した場合には、前記確変抽選の表示を表示装置３２上に行って確変抽選を行う（ステップＳＳ３００−２）。
【０２０２】
次に、確変抽選に当選したか否かを判断する（ステップＳ３００−３）。
【０２０３】
ここで、確変抽選に当選したと判断した場合には、遊技者に当選を知らしめるべく報知を行う（ステップＳ００−４）。
【０２０４】
次に、確変抽選に当選したことを記憶すべく、ＲＡＭ７０の当選記憶テーブルに当選情報を記憶する（ステップＳ３００−５）。
【０２０５】
ステップＳ３００−５の処理を終了した場合、ステップＳ３００−０において通常大当たりではないと判断した場合、ステップＳ３００−１において当選情報が存在すると判断した場合、ステップＳ３００−３において確変抽選に当選していないと判断した場合にはステップＳ３１１に進む。
【０２０６】
ステップＳ３１１からステップＳ３１４までの処理は図８に示す大当たり実行処理ルーチンと同様であるので、ここでの説明を省略する。
【０２０７】
ステップＳ３１４の処理が終了すると、通常大当たりか否かを判断する（ステップＳ３００−０’）。
【０２０８】
ここで、通常大当たりであると判断した場合、当選情報が存在するか否かを判断する（ステップＳ３００−１’）。
【０２０９】
ここで、当選情報が存在すると判断した場合、特別遊技状態変更処理ルーチンを実行する（ステップＳ３１７）。
【０２１０】
ステップＳ３１７の処理が終了した場合、ステップＳ３００−０’において通常大当たりではないと判断した場合、ステップＳ３００−１’において当選情報が存在しないと判断した場合には、本サブルーチンを終了する。
【０２１１】
次に、図１１に示すステップＳ３１７において呼び出されて実行される特別遊技状態変更処理を行うサブルーチンについて、図１２を用いて説明する。この特別遊技状態変更処理ルーチンは、上述した図９に示す特別遊技状態変更処理ルーチンにおける、余剰入賞数に応じて大当たり遊技後に実行する特別遊技の反復回数を決定する処理の後に、抽選データを確変大当たりに対応する抽選データに変更するだけでよい。そのため、図８に示す大当たり実行処理ルーチンの一部と同様であり、ここでの詳しい説明は省略するとともに、使用する符号は、図８と同一処理については同一符号を付した。
【０２１２】
すなわち、本サブルーチンが呼び出されると、図９におけるステップＳ４０３からステ
ップＳ４０７までの処理を行い、ステップＳ４０４、ステップＳ４０６、ステップＳ４０７の処理が終了すると、図９におけるステップＳ４１０を実行し、この処理が終了すると、本サブルーチンを終了する。
【図面の簡単な説明】
【０２１３】
【図１】第１の実施の形態に係るパチンコ遊技装置の概観を示す正面図である。
【図２】同パチンコ遊技装置の遊技盤面の拡大正面図である。
【図３】同パチンコ遊技装置の大当たり入賞装置を示す説明図である。
【図４】同パチンコ遊技装置の制御回路を示すブロック図である。
【図５】パチンコ遊技装置において実行される遊技球を検出する処理のサブルーチンを示すフローチャートである。
【図６】内部抽選実行処理のサブルーチンを示すフローチャートである。
【図７】可変表示ゲーム処理のサブルーチンを示すフローチャートである。
【図８】大当たり実行処理のサブルーチンを示すフローチャートである。
【図９】特別遊技状態移行処理のサブルーチンを示すフローチャートである。
【図１０】大当たり遊技状態中に表示装置上に表示される表示画面を示す説明図である。
【図１１】他の大当たり実行処理のサブルーチンを示すフローチャートである。
【図１２】他の特別遊技状態移行処理のサブルーチンを示すフローチャートである。
【符号の説明】
【０２１４】
Ｍ  大当たり入賞装置
１０  パチンコ遊技機
３８  大入賞口
３２  表示装置
６３  カウンター
【図１】
2005177308.tif 000003
【図２】
2005177308.tif 000004
【図３】
2005177308.tif 000005
【図４】
2005177308.tif 000006
【図５】
2005177308.tif 000007
【図６】
2005177308.tif 000008
【図７】
2005177308.tif 000009
【図８】
2005177308.tif 000010
【図９】
2005177308.tif 000011
【図１０】
2005177308.tif 000012
【図１１】
2005177308.tif 000013
【図１２】
2005177308.tif 000014